(57)【特許請求の範囲】
【請求項１】
オフィスプラットフォーム用のアイデンティティ認識方法であって、サーバに適用されており、この方法は、
第１ユーザの役職標識と、第１ユーザのアイデンティティと、第１ログインパスワードとを含む第１ユーザの登録情報を受信することと、
第１ログインパスワードを役職に対応する第１アカウントに結び付けることと、
ユーザ端末によって送信され、第１ログインパスワードを含むログイン要求を受信することと、
ログイン要求に応答し、第１ログインパスワードと結びついた第１アカウントのデータ情報をユーザ端末に送信して、ユーザ端末にデータ情報を表示させることと、を含み、
第１ログインパスワードを前記役職に対応する第１アカウントに結び付けるステップは、さらに、
役職の標識に基づいて、役職が新規役職であるかどうかを判定することと、
役職が新規役職であった場合は、役職に対応する第１アカウントを作成し、第１ログインパスワードを役職に対応する第１アカウントに結び付けることと、
役職が新規役職ではない場合は、第１ログインパスワードを直接に第１アカウントに結び付けることと、
を含むことを特徴とするアイデンティティ認識方法。
【請求項２】
第１ログインパスワードを役職に対応する第１アカウントに結び付けるステップは、さらに、
第１ユーザのアイデンティティを役職に対応する第１アカウントに結び付けることを含み、
前記アイデンティティ認識方法は、さらに
第１ユーザのアイデンティティに基づいて、第１ユーザが新規ユーザであるかどうかを判定することを含み、
第１ユーザが新規ユーザではない場合、第１ユーザと結び付いている元のアカウントを見つけ、役職に対応する第１アカウントを元のアカウントに対応するデータベースにリンクさせることを特徴とする請求項１に記載のアイデンティティ認識方法。
【請求項３】
前記アイデンティティ認識方法は、さらに、
第１ユーザのアイデンティティ、役職の標識、役職に対応する第１アカウントの標識のうち、少なくとも２つの項目を第２ユーザに対応するユーザ端末に送信することを含み、
第１ユーザが新規ユーザであった場合、次のステップに入り、つまり、第１ユーザのアイデンティティ、役職の標識、役職に対応する第１アカウントの標識のうち、少なくとも２つの項目を第２ユーザに対応するユーザ端末に直接に送信することを特徴とする請求項２に記載のアイデンティティ認識方法。
【請求項４】
前記アイデンティティ認識方法は、さらに
前のユーザのアイデンティティを含む結び付き解除要求を受信することと、
前のユーザのアイデンティティに基づいて、前のユーザに結びついている第２アカウントを見つけ、前のユーザと第２アカウントとの結び付きを解除することと、
を含むことを特徴とする請求項２に記載のアイデンティティ認識方法。
【請求項５】
アイデンティティ認識方法であって、ユーザ端末およびサーバに適用されており、前記アイデンティティ認識方法は、
第１ユーザの登録情報を送信するユーザ端末を使用し、前記登録情報は、第１ユーザの役職標識、第１ユーザのアイデンティティ、および第１ログインパスワードを含み、
サーバを使用し、このサーバは、第１ログインパスワードを役職に対応する第１アカウントに結び付け、
サーバにログイン要求を送信するユーザ端末を使用し、前記ログイン要求は第１ログインパスワードを含み、
前記サーバは、ログイン要求に応答し、第１ログインパスワードと結びついた第１アカウントのデータ情報をユーザ端末に送信し、
前記ユーザ端末は、データ情報を表示し、
サーバが第１ログインパスワードを役職に対応する第１アカウントに結び付けるステップは、
役職の標識に基づいて、役職が新規役職であるかどうかを判定することと、
役職が新規役職であった場合、役職に対応する第１アカウントを作成し、第１ログインパスワードを第１アカウントに結び付けることと、
役職が新規役職ではない場合、サーバが第１ログインパスワードを直接にアカウントに結び付けることと、
を含むことを特徴とするアイデンティティ認識方法。
【請求項６】
アイデンティティ認識方法であって、ユーザ端末およびサーバに適用されており、前記アイデンティティ認識方法は、
第１ユーザの登録情報を送信するユーザ端末を使用し、前記登録情報は、第１ユーザの役職標識、第１ユーザのアイデンティティ、および第１ログインパスワードを含み、
サーバを使用し、このサーバは、第１ログインパスワードを役職に対応する第１アカウントに結び付け、
サーバにログイン要求を送信するユーザ端末を使用し、前記ログイン要求は第１ログインパスワードを含み、
前記サーバは、ログイン要求に応答し、第１ログインパスワードと結びついた第１アカウントのデータ情報をユーザ端末に送信し、
前記ユーザ端末は、データ情報を表示し、
サーバが第１ログインパスワードを役職に対応する第１アカウントに結び付けるステップは、
サーバが、第１ユーザのアイデンティティを役職に対応する第１アカウントに結び付けることを含み、
前記アイデンティティ認識方法は、
サーバを使用し、第１ユーザのアイデンティティに基づいて第１ユーザが新規ユーザであるかどうかを判定することと、
第１ユーザが新規ユーザではない場合、サーバは、第１ユーザと結び付いている元のアカウントを見つけ、役職に対応する第１アカウントを元のアカウントに対応するデータベースにリンクさせることと、
含むことを特徴とするアイデンティティ認識方法。
【請求項７】
アイデンティティ認識装置であって、
第１ユーザの役職標識、第１ユーザのアイデンティティ、及び第１ログインパスワードを含む第１ユーザの登録情報を受信するように構成されている第１受信モジュールと、
第１ログインパスワードを役職に対応する第１アカウントに結び付けるように構成されている第１結び付けモジュールと、
ユーザ端末によって送信され、第１ログインパスワードを含むログイン要求を受信するように構成されている第２受信モジュールと、
ログイン要求に応答し、第１ログインパスワードと結びついた第１アカウントのデータ情報をユーザ端末に送信し、ユーザ端末にデータ情報を表示させるように構成されている第１送信モジュールと、
を含み、
第１結び付けモジュールは、
役職の標識に基づいて、役職が新規役職であるかどうかを判定するように構成されている第１判定ユニットと、
役職が新規役職であった場合、役職に対応する第１アカウントを作成するように構成されている第１作成ユニットと、
第１ログインパスワードを第１アカウントに結び付けるように構成されている第１結び付けユニットと、
を含むことを特徴とするアイデンティティ認識装置。
【請求項８】
アイデンティティ認識装置であって、
第１ユーザの役職標識、第１ユーザのアイデンティティ、及び第１ログインパスワードを含む第１ユーザの登録情報を受信するように構成されている第１受信モジュールと、
第１ログインパスワードを役職に対応する第１アカウントに結び付けるように構成されている第１結び付けモジュールと、
ユーザ端末によって送信され、第１ログインパスワードを含むログイン要求を受信するように構成されている第２受信モジュールと、
ログイン要求に応答し、第１ログインパスワードと結びついた第１アカウントのデータ情報をユーザ端末に送信し、ユーザ端末にデータ情報を表示させるように構成されている第１送信モジュールと、
を含み、
第１結び付けモジュールは、さらに、第２結び付けユニットを含み、第２結び付けユニットは、第１ユーザのアイデンティティを役職に対応する前記第１アカウントに結び付けるように構成されており、
前記アイデンティティ認識装置は、さらに、
第１ユーザのアイデンティティに基づいて第１ユーザが新規ユーザであるかどうかを判断するように構成されている第１判断モジュールと、
第１ユーザと結び付いている元のアカウントを見つけ、第１ユーザが新規ユーザではない場合に、役職に対応する第１アカウントを元のアカウントに対応するデータベースにリンクするように構成されているリンクモジュールと、
を含むことを特徴とするアイデンティティ認識装置。
【請求項９】
アイデンティティ認識装置であって、
第１ユーザの役職標識、第１ユーザのアイデンティティ、及び第１ログインパスワードを含む第１ユーザの登録情報を受信するように構成されている第１受信モジュールと、
第１ログインパスワードを役職に対応する第１アカウントに結び付けるように構成されている第１結び付けモジュールと、
ユーザ端末によって送信され、第１ログインパスワードを含むログイン要求を受信するように構成されている第２受信モジュールと、
ログイン要求に応答し、第１ログインパスワードと結びついた第１アカウントのデータ情報をユーザ端末に送信し、ユーザ端末にデータ情報を表示させるように構成されている第１送信モジュールと、
を含み、
前記アイデンティティ認識装置は、さらに、第１ユーザのアイデンティティ、役職の標識、役職に対応する第１アカウントの標識のうち、少なくとも２つの項目を第２ユーザに対応するユーザ端末に送信するように構成されている第２送信モジュールを含むことを特徴とするアイデンティティ認識装置。
【請求項１０】
アイデンティティ認識装置であって、
第１ユーザの役職標識、第１ユーザのアイデンティティ、及び第１ログインパスワードを含む第１ユーザの登録情報を受信するように構成されている第１受信モジュールと、
第１ログインパスワードを役職に対応する第１アカウントに結び付けるように構成されている第１結び付けモジュールと、
ユーザ端末によって送信され、第１ログインパスワードを含むログイン要求を受信するように構成されている第２受信モジュールと、
ログイン要求に応答し、第１ログインパスワードと結びついた第１アカウントのデータ情報をユーザ端末に送信し、ユーザ端末にデータ情報を表示させるように構成されている第１送信モジュールと、
を含み、
前記アイデンティティ認識装置は、さらに、
前のユーザのアイデンティティを含む結び付き解除要求を受信するように構成されている第３受信モジュールと、
前のユーザのアイデンティティに基づいて、前のユーザに結びついている第２アカウントを見つけ、前のユーザから第２アカウントを解除するように構成されている第１取消モジュールと、
を含むことを特徴とするアイデンティティ認識装置。
【請求項１１】
請求項７から１０のいずれか一項に記載のアイデンティティ認識装置を含むことを特徴とするアイデンティティ認識システム。
【請求項１２】
アイデンティティ認識システムであって、サーバを含み、このサーバは、
プロセッサと、
プロセッサと通信可能に接続され、プロセッサによって実行されるとサーバ端末に対して以下のことを行わせる命令を格納しているメモリと、
を含み、
前記サーバ端末に対して行わせることは、
第１ユーザの役職標識、第１ユーザのアイデンティティ、および第１ログインパスワー
ドを含む第１ユーザの登録情報を受信することと、
第１ログインパスワードを役職に対応する第１アカウントに結び付けつけることと、
ユーザ端末によって送信され、第１ログインパスワードを含むログイン要求を受信することと、
ログイン要求に応答し、第１ログインパスワードと結びついた第１アカウントのデータ情報をユーザ端末に送信して、ユーザ端末にデータ情報を表示させることと、
を含み、
第１ログインパスワードを前記役職に対応する第１アカウントに結び付けるステップは、さらに、
役職の標識に基づいて、役職が新規役職であるかどうかを判定することと、
役職が新規役職であった場合は、役職に対応する第１アカウントを作成し、第１ログインパスワードを役職に対応する第１アカウントに結び付けることと、
役職が新規役職ではない場合は、第１ログインパスワードを直接に第１アカウントに結び付けることと、を含む
ことを特徴とするアイデンティティ認識システム。
【請求項１３】
サーバであって、
プロセッサと、
プロセッサと通信可能に接続され、プロセッサによって実行されるとサーバ端末に対して以下のことを行わせる命令を格納しているメモリと、
を含み、
前記サーバ端末に対して行わせることは、
第１ユーザの役職標識、第１ユーザのアイデンティティ、および第１ログインパスワードを含む第１ユーザの登録情報を受信することと、
第１ログインパスワードを役職に対応する第１アカウントに結び付けることと、
ユーザ端末によって送信され、第１ログインパスワードを含むログイン要求を受信することと、
ログイン要求に応答し、第１ログインパスワードと結びついた第１アカウントのデータ情報をユーザ端末に送信して、ユーザ端末にデータ情報を表示させることと、
を含み、
第１ログインパスワードを前記役職に対応する第１アカウントに結び付けるステップは、さらに、
役職の標識に基づいて、役職が新規役職であるかどうかを判定することと、
役職が新規役職であった場合は、役職に対応する第１アカウントを作成し、第１ログインパスワードを役職に対応する第１アカウントに結び付けることと、
役職が新規役職ではない場合は、第１ログインパスワードを直接に第１アカウントに結び付けることと、を含むことを特徴とするサーバ。
【発明の詳細な説明】
【技術分野】
【０００１】
本出願は、２０１７年６月１５日に出願された中国特許出願第２０１７１０４５３１４５．０号を基礎とする優先権を主張し、当該出願の開示を全てここに取り込み、本明細書の一部としている。
【０００２】
本発明は、通信技術に関し、より詳しくは、オフィスプラットフォーム用のアイデンティティ認識方法、アイデンティティ認識装置、アイデンティティ認識システム、および関連のサーバに関する。
【背景技術】
【０００３】
今日では、ますます多くの企業は、従業員とペーパーレスオフィスとの間の情報転送を実現するために、メールシステム、プロセスシステム、およびソーシャルシステムなどのオフィスプラットフォームを従業員に提供している。企業のオフィスプラットフォームは、企業の情報セキュリティ管理を強化しながら作業効率を向上させることができる。また、企業におけるすべての内部情報は、企業のオフィスプラットフォームにしか受け渡すことができないため、企業のオフィスプラットフォームの使用によって会社の情報は社外に転送されることもない。
【０００４】
しかし、現在の企業において、ほとんどのオフィスプラットフォームは、従業員の数に応じて個人アカウントを配布し、各従業員は、自分のアカウントを使用して会社内でメール、監査プロセス、および社会活動を送信する。役職の前任者は、本人が元の役職を辞任または譲渡するときにすべての仕事の情報を後任者に引き渡す必要がある。しかし、後任者は現在の企業のオフィスプラットフォームによって前の仕事を閲覧することができない。このため、後任者への引継ぎが遅くなり、引継ぎ時に重要な情報を忘れたり、見逃していたりする可能性がある。結局、後任者は、迅速に新しい役職に就くことができないという問題が生じやすい。
【発明の概要】
【発明が解決しようとする課題】
【０００５】
本発明は、後任者が前任者の履歴データ情報を閲覧してユーザ体験を良好にすることを可能にし得るアイデンティティ認識方法を提供する。
【課題を解決するための手段】
【０００６】
本発明は、アイデンティティ確認方法を提供する。このアイデンティティ確認方法は、サーバに適用され、第１ユーザの登録情報を受信することを含み、この登録情報は、第１ユーザの役職標識と、第１ユーザのアイデンティティと、第１ログインパスワードとを含む。上記アイデンティティ確認方法は、また、第１ログインパスワードを上記役職に対応する第1アカウントに結びつけることと、ユーザ端末によって送信されたログイン要求を受信することとを含み、このログイン要求は、第１ログインパスワードを含む。上記アイデンティティ確認方法は、さらに、ログイン要求に応答し、第１ログインパスワードと結びついた第１アカウントのデータ情報をユーザ端末に送信して、ユーザ端末にデータ情報を表示させることを含む。
【０００７】
本発明は、アイデンティティ確認方法を提供する。このアイデンティティ確認方法は、サーバおよびユーザ端末に適用され、このユーザ端末は、第１ユーザの登録情報を送信する。この登録情報は、第１ユーザの役職標識と、第１ユーザのアイデンティティと、第１ログインパスワードとを含む。前記サーバは、第１ログインパスワードを役職に対応する第１アカウントに結び付ける。ユーザ端末は、サーバにログイン要求を送信し、このログイン要求は、第１ログインパスワードを含む。前記サーバは、ログイン要求に応答し、第１ログインパスワードと結びついた第１アカウントのデータ情報をユーザ端末に送信する。ユーザ端末はデータ情報を表示する。
【０００８】
本発明は、また、アイデンティティ認識装置を提供する。このアイデンティティ認識装置は、第１ユーザの登録情報を受信するように構成された第１受信モジュールを含み、ここで、登録情報は、第１ユーザの役職標識と、第１ユーザのアイデンティティと、第１ログインパスワードとを含む。アイデンティティ認識装置は、また、第１ログインパスワードを役職に対応する第１アカウントに結びつけるように構成された第１結び付けモジュールと、ユーザ端末によって送信されたログイン要求を受信するように構成された第２受信モジュールとを含み、前記ログイン要求は第１ログインパスワードを含む。アイデンティティ認識装置は、さらに、ログイン要求に応答し、第１ログインパスワードと結びついた第１アカウントのデータ情報をユーザ端末に送信して、ユーザ端末にデータ情報を表示させるように構成された第１送信モジュールを含む。
【０００９】
また、本発明は、上記アイデンティティ認識装置を含む識別認識システムを提供する。
【００１０】
そして、本発明は、アイデンティティ認識システムを提供する。このアイデンティティ識別システムは、サーバを含み、このサーバは、プロセッサと、このプロセッサと通信可能に結合され、プロセッサによって実行されるとサーバ端末に受信を行わせる命令を格納しているメモリとを含む。ここで受信とは、第１ユーザの登録情報を受信することである。登録情報は、第１ユーザの役職標識、第１ユーザのアイデンティティ、および第１ログインパスワードを含む。このアイデンティティ識別システムは、さらに、第１ログインパスワードを役職に対応する第１アカウントに結びつけることと、ユーザ端末によって送信されたログイン要求を受信することとを含み、ログイン要求は、第１ログインパスワードを含む。そして、このアイデンティティ識別システムは、ログイン要求に応答し、第１ログインパスワードと結びついた第１アカウントのデータ情報をユーザ端末に送信して、ユーザ端末にデータ情報を表示させる。
【００１１】
本発明はまた、関連のサーバを提供している。このサーバは、プロセッサと、プロセッサと通信可能に結合され、プロセッサによって実行されるとサーバ端末に第１ユーザの登録情報の受信を行わせる命令を格納しているメモリと、を含む。登録情報は、第１ユーザの役職標識と、第１ユーザのアイデンティティと、および第１ログインパスワードとを含む。前記サーバは、第１ログインパスワードを役職に対応する第１アカウントに結びつけることと、ユーザ端末によって送信されたログイン要求を受信することと、を含み、ログイン要求は、第１ログインパスワードを含む。前記サーバは、さらに、ログイン要求に応答し、第１ログインパスワードと結びついた第１アカウントのデータ情報をユーザ端末に送信して、ユーザ端末にデータ情報を表示させる。
【発明の効果】
【００１２】
本発明のアイデンティティ認識方法、装置、システムおよびサーバによれば、第１アカウントは役職に対応しているので、役職の後任者によって設定されたログインパスワードは、役職に対応する第１アカウントに結び付けられる。後任者は、ログインパスワードを介して第１アカウントに対応する履歴データ情報を閲覧することができ、ユーザ体験は良好である。
【図面の簡単な説明】
【００１３】
【図１】本発明に関わるアイデンティティ認識方法の適用環境における第１実施形態を示す概略図である。
【図２】本発明の端末を示す図である。
【図３】本発明のサーバを示す図である。
【図４】本発明に関わるアイデンティティ認識方法の第１実施形態を示す概略プロセス図である。
【図５】本発明に関わるアイデンティティ認識方法の第２実施形態を示す概略プロセス図である。
【図６】本発明に関わるアイデンティティ認識方法の第３実施形態を示す概略プロセス図である。
【図７】本発明に関わるアイデンティティ認識装置の第４実施形態を示す概略構造図である。
【発明を実施するための形態】
【００１４】
本発明の意図された目的を達成するために本発明の技術的手段および有効性をさらに明らかにするように、添付の図面および以下の好ましい実施形態を参照しながら本発明をより詳細に説明する。
【００１５】
本発明の様々な実施形態によって提供されるオフィスプラットフォーム用のアイデンティティ認識方法は、アイデンティティ認識を実施するために、図１に示されるようなアプリケーション環境において適用される。図１に示すように、アプリケーション環境は、ユーザ端末１００とサーバ３００とを含む。ユーザ端末１００とサーバ３００は、無線ネットワークまたは有線ネットワークにあり、ユーザ端末１００とサーバ３００は、無線ネットワークまたは有線ネットワークを介して相互にデータ交換を行う。
【００１６】
これらのうち、ユーザ端末１００は、パーソナルコンピュータ（ＰＣ）、オールインワンコンピュータ、ラップトップ型ポータブルコンピュータなどのコンピュータ端末装置、または車載端末などの携帯端末装置であり、また、スマートフォン、スマートテレビ、テレビボックス、タブレットコンピュータ、および電子書籍リーダー、ＭＰ３プレーヤー（Moving Picture Experts Group Audio Layer III）、ＭＰ４（Moving Picture
Experts Group Audio Layer IV）であり得る。
【００１７】
サーバ３００は、サーバ、またはいくつかのサーバからなるサーバクラスタ、またはクラウドコンピューティングサービスセンターとすることができる。
【００１８】
図２は、本発明の端末を示す図である。図２に示す構成は、ユーザ端末１００に適用することができる。図２に示すように、端末１０は、メモリ１０２、メモリコントローラ１０４、１つまたは複数（図２には１つのみ示されている）のプロセッサ１０６、周辺インターフェース１０８、無線周波数モジュール１１０、測位モジュール１１２、カメラモジュール１１４、オーディオモジュール１１６、スクリーン１１８、及びボタンモジュール１２０を含む。これらは、１つまたは複数の通信バス／信号線１２２を介して互いに通信する。
【００１９】
図２に示された構造は単なる例示であり、端末１０は、さらに図２に示されたものより多くまたは少ない構成要素を含んでもよく、または図１に示されたものとは異なる構成を有してもよい。図２に示す構成要素は、ハードウェア、ソフトウェア、またはそれらの組み合わせを使用して実施することができる。
【００２０】
メモリ１０２は、本発明の一実施形態におけるオフィスプラットフォームのアイデンティティ認識方法およびシステムに対応するプログラム命令／モジュールなどのソフトウェアプログラムおよびモジュールを格納するために使用可能である。プロセッサ１０６は、メモリコントローラ１０４に格納されたソフトウェアプログラムおよびモジュールを実行して、様々な機能的アプリケーションおよびデータ処理を実行し、オフィスプラットフォームのための上述のアイデンティティ認識方法およびシステムを実施する。
【００２１】
メモリ１０２は、高速ランダムアクセスメモリを含むことができ、また１つまたは複数の磁気記憶装置、フラッシュメモリ、または他の不揮発性固体メモリなどの不揮発性メモリを含むこともできる。いくつかの実施形態では、メモリ１０２は、プロセッサ１０６と遠隔に設定されたリモートメモリをさらに含むことができる。これらのリモートメモリは、ネットワークを介して端末１０に接続することができる。上記ネットワークは、インターネット、イントラネット、ＬＡＮ、移動体通信ネットワークおよびそれらの組み合わせを含むことができるが、これらに限定されるわけではない。プロセッサ１０６及び他の可能な構成要素のメモリ１０２へのアクセスは、メモリコントローラ１０４のコントロール下で制御することができる。
【００２２】
周辺インターフェース１０８は、様々な入出力装置をＣＰＵおよびメモリ１０２に結合する。プロセッサ１０６は、メモリ１０２内の様々なソフトウェアおよび命令を実行して端末１０の様々な機能を実行し、データ処理を行う。
【００２３】
いくつかの実施形態では、周辺インターフェース１０８、プロセッサ１０６、およびメモリコントローラ１０４は、単一のチップによって実施されてもよい。他の実施形態では、それらは別々のチップによって実施することができる。
【００２４】
無線周波数モジュール１１０は、電磁波を送受信するために使用され、通信ネットワークまたは他の装置と通信するために電磁波と電気信号との相互変換を実行する。無線周波数モジュール１１０は、アンテナ、無線周波数トランシーバ、デジタル信号プロセッサ、暗号化／復号化チップ、加入者アイデンティティモジュール（ＳＩＭ）カード、メモリなど、これらの機能を実行するための様々な既存の回路要素を含むことができる。無線周波数モジュール１１０は、インターネット、企業のイントラネット、ワイヤレスネットワークなどの様々なネットワークと通信したり、ワイヤレスネットワークを介して他のデバイスと通信したりすることができる。
上記無線ネットワークは、携帯電話ネットワーク、無線ローカルエリアネットワーク、またはメトロポリタンエリアネットワークを含み得る。上記の無線ネットワークは、グローバル移動体通信システム（ＧＳＭ）、拡張データＧＳＭ環境（ＥＤＧＥ）、および広帯域符号を含む、様々な通信規格、プロトコルおよび技術を使用することができるが、これらに限定されるわけではない。また、広帯域符号分割多元接続（Ｗ−ＣＤＭＡ）、符号分割アクセス（ＣＤＭＡ）、時分割多元アクセス（ＴＤＭＡ）、ブルートゥース（登録商標）、無線フィデリティ（無線）、フィデリティ、ＷｉＦｉ（例えば、ＩＥＥＥ
８０２．１１ａ、ＩＥＥＥ ８０２．１１ｂ、ＩＥＥＥ ８０２．１１ｇ、及び／又はＩＥＥＥ  ８０２．１１ｎ）、ボイスオーバーインターネットプロトコル（ＶｏＩＰ：Voice over Internet Protocol）、およびマイクロ波アクセス用の世界規模の相互運用性（Ｗｉ−Ｍａｘ）、電子メール、インスタントメッセージング、およびＳＭＳ用の他のプロトコル、また、他の適切な通信プロトコルを含み、さらに、現在まだ開発されていないものも含み得る。
【００２５】
測位モジュール１１２は、端末１０の現在位置を取得するように構成されている。測位モジュール１１２の例には、全地球測位システム（ＧＰＳ）、無線ローカルエリアネットワーク、または移動体通信ネットワークベースの測位技術が含まれる。
【００２６】
カメラモジュール１１４は、写真またはビデオを撮るために使用される。取り込まれた写真またはビデオは、メモリ１０２に格納されてもよく、無線周波数モジュール１１０を介して送信されてもよい。
【００２７】
オーディオモジュール１１６は、１つ以上のマイクロフォン、１つ以上のスピーカ、および一つのオーディオ回路を含み得る音声インターフェースをユーザに提供する。オーディオ回路は、周辺インターフェース１０８からサウンドデータを受信し、このサウンドデータを電気情報に変換し、その電気情報をスピーカに送信する。そして、スピーカは電気情報を人間の耳に聞こえる音波に変換する。オーディオ回路は、マイクロフォンから電気情報を受信し、電気信号を音声データに変換し、その後、さらなる処理のために音声データを周辺インターフェース１０８に送信する。オーディオデータは、メモリ１０２からまたは無線周波数モジュール１１０を介して取得されてもよい。さらに、オーディオデータは、メモリ１０２に格納されてもよく、またはＲＦモジュール１１０を介して送信されてもよい。一部の実施例では、オーディオモジュール１１６は、ヘッドセットまたは他のデバイスにオーディオインターフェイスを提供するためのヘッドフォンジャックを含んでもよい。
【００２８】
スクリーン１１８は、端末１０とユーザとの間の出力インターフェースを提供する。具体的には、スクリーン１１８は、ビデオ出力をユーザに表示する。ビデオ出力の内容は、テキスト、グラフィック、ビデオ、およびそれらの任意の組み合わせを含み得る。一部の出力結果は、一部のユーザインターフェースオブジェクトに対応している。ここで判るように、スクリーン１１８は、またタッチスクリーンも含み得る。タッチスクリーンは、端末１０とユーザとの間に出力および入力インターフェースを同時に提供している。ユーザへのビデオ出力の表示に加えて、タッチスクリーンは、クリックおよびスワイプなどのユーザのジェスチャなどのユーザ入力も受け取るので、ユーザインターフェースオブジェクトは、ユーザの入力に応答するようになっている。ユーザ入力を検出するための技術は、抵抗式、容量式、または他の可能なタッチ検出技術に基づくことである。タッチスクリーンディスプレイユニットの具体例としては、液晶ディスプレイまたは発光ポリマーディスプレイが挙げられるが、これらに限定されるべきではない。
【００２９】
ボタンモジュール１２０は、ユーザが端末１０に入力するためのインターフェースを提供し、ユーザは端末１０に異なる機能を実行させるために異なるボタンを押すことができる。
【００３０】
図３は、本発明のサーバを示す図である。図３に示すように、サーバは、メモリ３０１、プロセッサ３０２、およびネットワークモジュール３０３を含む。
【００３１】
ここで判るように、図３に示される構造は単なる例示であり、サーバはまた、図３に示されるものよりも多いかまたは少ない構成要素を含み得るし、または図３に示すものとは異なる構成を有し得る。図３に示す構成要素は、ハードウェア、ソフトウェア、またはそれらの組み合わせを使用して実施することができる。また、本発明の実施形態におけるサーバは、機能が異なる複数のサーバを含んでもよい。
【００３２】
メモリ３０１は、本発明の実施形態におけるオフィスプラットフォームのアイデンティティ認識方法およびシステムに対応するプログラム命令／モジュールなどのソフトウェアプログラムおよびモジュールを格納するために使用されてもよい。プロセッサ３０２は、メモリ３０１に格納されているソフトウェアプログラムおよびモジュールを実行して、様々な機能的アプリケーションおよびデータ処理を実行し、すなわち、オフィスプラットフォーム用の上述のアイデンティティ認識方法およびシステムを実施する。メモリ３０１は、高速ランダムアクセスメモリを含むことができ、また１つまたは複数の磁気記憶装置、フラッシュメモリ、または他の不揮発性固体メモリなどの不揮発性メモリを含むこともできる。いくつかの実施形態では、メモリ３０１は、プロセッサ３０２と離れて設定したリモートメモリをさらに含むことができる。これらのリモートメモリは、ネットワークを介してサーバに接続できる。また、上記ソフトウェアプログラムおよびモジュールは、オペレーティングシステム３２１およびサービスモジュール３２２をさらに含み得る。オペレーティングシステム３２１は、例えば、ＬＩＮＵＸ、ＵＮＩＸ（登録商標）、ＷＩＮＤＯＷＳ（登録商標）であり、システムタスク（例えば、メモリ管理、記憶装置制御、電力管理など）管理用の様々なソフトウェアコンポーネントおよび／またはドライバを含み得る。また、他のソフトウェアコンポーネントに動作環境を提供するために、ハードウェアまたはソフトウェアコンポーネントと通信することができる。サービスモジュール３２２は、オペレーティングシステム３２１に基づいて動作し、オペレーティングシステム３２１のネットワークサービスを介してネットワークからの要求を待ち受け、この要求に従って対応のデータ処理を完成し、処理結果を端末に返す。すなわち、サービスモジュール３２２は、端末にネットワークサービスを提供するために使用される。
【００３３】
ネットワークモジュール３０３は、ネットワーク信号を送受信するために使用される。上記ネットワーク信号は、無線信号でも有線信号でもよい。一実施形態では、上記ネットワーク信号は、有線ネットワーク信号である。このとき、ネットワークモジュール３０３は、プロセッサ、ランダムアクセスメモリ、コンバータ、水晶発振器などの要素を含んでもよい。
【００３４】
＜第１の実施形態＞
図４は、本発明のアイデンティティ認識方法の第１実施形態を示す概略プロセス図である。この実施形態は、ネットワークを介してサーバ３００によって実行されるオフィスプラットフォームのアイデンティティ認識方法であり得る。オフィスプラットフォームは、メールボックスシステム、承認フローシステム、およびソーシャルプラットフォームシステムを含む統合プラットフォームであり得るが、本発明は、これらに限定されるべきではない。図４に示すように、この実施形態におけるオフィスプラットフォームのアイデンティティ認識方法は、以下のステップを含み得る。
【００３５】
ステップＳ４０１：第１ユーザの登録情報を受信する。この登録情報は、第１ユーザの役職標識、第１ユーザのアイデンティティ、および第１ログインパスワードを含む。
【００３６】
ここで言う役職は、権限および責任の両方を含み得るが、これらに限定されない。同じ役職を持つユーザは、同じ責任と権限を持つ。
【００３７】
具体的には、役職の標識は、マネージャ、リーダなどのタイトルに限定されないが、第１ユーザの役職標識を識別できる固有の識別にすることも可能であるが、これに限定されるべきではない。例えば、第１マネージャ、第１リーダなどのような、タイトルと文字の組み合わせなどであり得る。ここで、第１ユーザのアイデンティティは、第１ユーザの役職標識であり、第１ユーザの識別番号、名前、および電話番号のうちの少なくとも１つなど、第１ユーザのアイデンティティを識別することができる固有の標識も含み得る。
【００３８】
ステップＳ４０２：第１ログインパスワードを、役職に対応する第１アカウントに結びつける。
【００３９】
ステップＳ４０３：ユーザ端末によって送信されたログイン要求を受信する。ログイン要求は、第１ログインパスワードを含む。
【００４０】
具体的には、一実施形態では、第１ユーザの役職標識を第１アカウントの標識と見なすことができるが、これに限定されるべきではない。従って、ログイン要求は、第１ユーザの役職標識をさらに含むことができるが、これに限定されない。もちろん、第１ユーザのアイデンティティと第１アカウントの標識との間に結び付け関係がある場合、第１アカウントの標識は、名前、電話番号、ＩＤ番号などの第１ユーザのアイデンティティを含むが、これらに限定されるべきではない。したがって、ログイン要求は、名前、電話番号、ＩＤ番号などの第１ユーザのアイデンティティを含むことができるが、これらに限定されない。
【００４１】
ステップＳ４０４：ログイン要求に応答し、第１ログインパスワードと結びついた第１アカウントのデータ情報をユーザ端末に送信し、ユーザ端末にデータ情報を表示させる。
【００４２】
具体的には、第１アカウントのデータ情報は、第１アカウントに対応する第１データベースに格納されている情報である。データ情報は、編集操作、お気に入り操作などの第１アカウントのコンテンツに関する操作情報、および／または第１アカウントと他のアカウントとの間の対話情報を含むことができるが、これらに限定されるべきではない。
【００４３】
具体的には、アイデンティティ認識方法は、読み取り要求を受信したときに、第１アカウントの関連アカウントの共有データ情報をユーザ端末に送信することを含むが、これに限定されない。読み取り要求には、第１アカウントの識別情報が含まれている。第１アカウントの関連アカウントは、システム-デフォルトのアカウント、およびシステム-デフォルトのアカウントに対応する役職を含み、
、第１アカウントに対応する役職は同じ役職タイプに属するが、
これに限定されるわけではない。例えば、同じ部署の一部または全部の役職を同じ役職タイプに属するように定義することができるが、これに限定されない。第１アカウントの関連アカウントはまた、関連付け要求を受信した後に第１アカウントに応答するアカウントを含み得る。
【００４４】
ここで、ユーザ端末の第１アカウントに送信された共有データ情報は、共有データベースに格納され、例えば、第１アカウントに関連付けられたアカウントは、ＡアカウントおよびＢアカウントを含み、その後、第１アカウントの共有データ情報を含む。ここで、Ａアカウント、およびＢアカウントは、共有データベースに格納される。第１アカウント、Ａアカウント、およびＢアカウントのそれぞれは、読み取り要求を送信することによって、共有データベース内の共有データ情報を取得できる。
【００４５】
ここで、ユーザ端末の第１アカウントに送信された共有データ情報は、システム-デフォルト関連のアカウントによって編集され、および／または送信および／または受信されたいくつかの文書、および/または、関連付けられたアカウントによって共有アカウントまたは指定アカウントに送信されたデータ情報を含むことができるが、これらに限定されるべきではない。文書の形式は、エクセルなのである。
【００４６】
本発明のアイデンティティ認識方法によれば、第１アカウントは役職に対応しているので、役職の後任者によって設定されたログインパスワードが役職に対応する第１アカウントに結び付けられるとき、役職の後任者は、ログインパスワードを使用して、第１アカウントに対応する履歴データ情報を閲覧することができる。したがって、ユーザ経験は良好である。
【００４７】
＜第２の実施形態＞
図５は、本発明におけるアイデンティティ認識方法の第２実施形態を示す概略プロセス図である。この実施形態は、ネットワークを介してサーバ３００によって実行されるオフィスプラットフォームのアイデンティティ認識方法である。オフィスプラットフォームは、メールボックスシステム、承認フローシステム、およびソーシャルプラットフォームシステムを含む統合プラットフォームであり得るが、これらに限定されない。また、本発明によると、オフィスプラットフォームは、第三者ソーシャルプラットフォームなどを含むこともできる。オフィスプラットフォームが統合プラットフォームであった場合、ログインパスワードは、オフィスプラットフォームにおけるすべてのシステムにログインするために使用できるが、これに限定されるべきではない。オフィスプラットフォームにおける1つのアカウントは、１つの役職に対応している。各役職のプロパティ情報には、役職の識別情報、役職管理者の固定電話番号、役職に対応するジョブテンプレート、役職の責任関係、役職の組織関係、役職の年次タスクなどが含まれている。ユーザは、役職の特性を容易に理解するために、ユーザがログインパスワードを通じてオフィスプラットフォームにログインするときに、アカウントに対応するユーザ端末に特性情報を送信することができるが、本発明はこれに限定されるべきではない。
【００４８】
図５に示すように、この実施形態におけるオフィスプラットフォームのアイデンティティ認識方法は、以下のステップを含む。
【００４９】
ステップＳ５０１：第１ユーザの登録情報を受信する。この登録情報は、第１ユーザの役職標識、第１ユーザのアイデンティティ、および第１ログインパスワードを含む。
【００５０】
詳しくは、役職は、権限および責任の両方を含み得るが、これらに限定されるべきではない。同じ役職を持つユーザは、同じ責任と権限を持つことになる。
【００５１】
具体的には、役職標識は、マネージャ、リーダなどの役職を含みえるが、これらに限定されるべきではない。また、役職標識は、第１ユーザの役職標識を識別できる固有の標識を含み、例えば第１マネージャ、第１リーダなどの役職と文字の組み合わせを含み得る。第１ユーザのアイデンティティは、第１ユーザの役職標識であり、第１ユーザのアイデンティティを識別できる固有の標識を含み、例えば、第１ユーザの識別番号、名前、および電話番号のうちの少なくとも１つを含むが、これらに限定されるべきではない。
【００５２】
一実施形態では、第１ユーザの登録情報は、第１ユーザの性別、第１ユーザの自宅住所、第１ユーザの緊急連絡先、第１ユーザのアイデンティティ以外に、第三者のソーシャルアカウントなどを含んでいる。
【００５３】
ステップＳ５０４：第１ログインパスワードを、役職に対応する第１アカウントに結びつける。
【００５４】
具体的には、Ｓ５０４のステップを実行する前に、すなわち、第１ログインパスワードを役職に対応する第１アカウントに結びつける前に、アイデンティティ認識方法は、ステップＳ５０２を含み、つまり、役職標識に基づいて、役職が新規役職であるか否かを判定する。
【００５５】
役職が新規役職であった場合、ステップＳ５０３に入る。つまり、役職に対応する第１アカウントを作成し、第１ログインパスワードを第１アカウントに結びつける。
【００５６】
役職が新規役職ではない場合、直接的にステップＳ５０４に入る。つまり、第１ログインパスワードを第１アカウントに結びつける。
【００５７】
一実施形態では、役職が新規役職でない場合、第１ユーザが役職の後任者であることを意味し、第１アカウントから元のログインパスワードを自動的に結びつき解除し、直接にステップＳ５０４に入ることができる。つまり、役職に対応する第１アカウントに拘束力があった場合、その役職に対応する第１アカウントに第１ログインパスワードを結びつける。もちろん、結びつき解除要求を受信したときに第１アカウントから元のログインパスワードを結びつき解除し、その後ステップＳ５０４に入る。つまり、役職に対応するアカウントが拘束力関係を有するとき、第１ログインパスワードを、役職に対応する第１アカウントに結びつける。もちろん、本発明は上記の記述に限定されず、所定の時間たとえば1ケ月以内に、元のログインパスワードと第１ログインパスワードの両方に、第１アカウントを結びつけることが可能である。
【００５８】
具体的には、元のログインパスワードを含む結びつき解除要求を受信したときに、第１アカウントに対応するデータベースに格納されているすべてのデータ情報を、確保することができるが、これに限定されるべきではない。第三者のソーシャルプラットフォームなどに対応するデータ情報など、データベースに格納されているデータ情報の一部を自動的に削除することもできる。
【００５９】
一実施形態では、ステップＳ５０４に入る前に、つまり第１ログインパスワードを役職に対応する第１アカウントに結びつける前に、アイデンティティ認識方法は、さらに以下を含み得る。
【００６０】
第１アカウントの上位アカウントに対応するユーザ端末に登録情報の承認要求を送信する。
【００６１】
第１アカウントの上位アカウントに対応するユーザ端末によって送信された承認情報を受信する。
【００６２】
上位アカウントに対応する役職が第１アカウントに対応する役職の上位であった場合、例えば、第１アカウントに対応する役職が第１グループのエンジニアであった場合、上位アカウントに対応する役職は、第１グループのリーダ（管理者）などであり得る。もちろん、上位アカウントは人事などの管理アカウントでもよい。
【００６３】
一実施形態では、オフィスプラットフォームのアイデンティティ認識方法は、さらに以下を含むことができる。なお、これらに限定されるべきではない。
【００６４】
ステップＳ５０５：第１ユーザのアイデンティティを、役職に対応する第１アカウントに結び付ける。
【００６５】
具体的には、第１ユーザのアイデンティティは、第１ユーザの識別番号、名前、および電話番号など、第１ユーザのアイデンティティを識別できる固有標識のうちの少なくとも１つを含むことができるが、これらに限定されるべきではない。
【００６６】
なお、ステップＳ５０４とステップＳ５０５の順序はこれに限定されるべきではない。まず、第１ユーザのＩＤを役職に対応する第１アカウントに結び付け、後に、第１ログインパスワードを第１アカウントに結び付ける。また、最初に、役職に対応する第１アカウントに第１ユーザのアイデンティティと第１ログインパスワードを同時に結びつけることも可能である。
【００６７】
一実施形態では、オフィスプラットフォームのアイデンティティ認識方法は、以下のステップをさらに含むことができるが、これらに限定されるべきではない。
【００６８】
ステップＳ５０６：第１ユーザのアイデンティティに基づいて、第１ユーザが新規ユーザであるかどうかを判定する。
【００６９】
第１ユーザが新規ユーザではない場合、ステップＳ５０７に入る。つまり、第１ユーザと結び付いている元のアカウントを見つけ、役職に対応する第１アカウントを元のアカウントに対応するデータベースにリンクさせる。
【００７０】
具体的には、第１アカウントが元のアカウントにリンクされた後、第１ユーザは、第１アカウントを通じて元のアカウントに対応するデータベースのデータ情報の全部または一部に対してアクセスおよび／または編集を行うように操作する。一実施形態では、第１ユーザは、元のアカウントのデータベース内のすべてのデータ情報に対して、アクセス権および／または複製、転送などの編集権を有するか、若しくは一定時期内のデータ情報に対して操作権のみを有することができる。
【００７１】
ステップＳ５０８：ログイン要求を受信する。ここで、ログイン要求は、第１ログインパスワードを含む。
【００７２】
具体的には、一実施形態では、第１ユーザの役職標識を第１アカウントの標識と見なすことができるので、ログイン要求はさらに第１ユーザの役職標識を含むことができる。なお、本発明は、これに限定されるべきではない。もちろん、第１ユーザのアイデンティティと第１アカウントの標識との間に拘束関係があった場合、第１アカウントの標識は、名前、電話番号、識別番号などの第１ユーザのアイデンティティを含み得るが、これらに限定されるべきではない。したがって、ログイン要求は、名前、電話番号、識別番号などの第１ユーザのアイデンティティを含むこともできるが、これらに限定されるわけではない。
【００７３】
ステップＳ５０９：ログイン要求に応答して、第１ログインパスワードと結びついた第１アカウントのデータ情報をユーザ端末に送信して、ユーザ端末にデータ情報を表示させる。
【００７４】
具体的には、第１アカウントのデータ情報は、第１アカウントに対応する第１データベースに格納されている情報である。
なお、ここのデータ情報は、第１アカウントのコンテンツに関する操作情報、例えば編集操作、お気に入り操作など、および／または第１アカウントと他のアカウントとの間の対話情報を含むことができる。なお、本発明は、これらに限定されるべきではない。
【００７５】
一実施形態では、この実施形態におけるオフィスプラットフォームのアイデンティティ認識方法は、以下のステップを含むことができるが、これらに限定されるわけではない。
【００７６】
ステップＳ５１０：第１ユーザのアイデンティティ、役職の標識、および役職に対応する第１アカウントの標識のうち少なくとも２つの項目を、第２ユーザに対応するユーザ端末に送信する。
【００７７】
一実施形態では、ステップＳ５１０は、第１ユーザのアイデンティティ、および第１ユーザの他の特性情報（例えば、第１ユーザの性別、および第１ユーザの年齢のうち少なくとも１つの項目）を第２ユーザに対応するユーザ端末へ送信することを含み得るが、これに限定されるわけではない。さらに、役職の標識、および役職の他の特性情報（例えば、役職管理者の固定電話番号、役職の責任、および組織的関係など）のうち、少なくとも１つの項目を第２ユーザに対応するユーザ端末へ送信することができるが、本発明は、これに限定されるべきではない。
【００７８】
これらのうち、第２ユーザは、オフィスプラットフォームに登録し、オフィスプラットフォームの通信記録に保存した現職の従業員、または、オフィスプラットフォームなどの通信記録に格納された顧客であり得るが、これらに限定されるべきではない。
【００７９】
第１ユーザが新規ユーザであった場合、Ｓ５０８のステップに直接に入ることができ、つまり、ログイン要求を受信する（ログイン要求は、第１ログインパスワードを含む）。若しくは、ステップＳ５１０のような次のステップに入る。つまり、
第１ユーザのアイデンティティ、役職の標識、役職に対応する第１アカウントの標識うち少なくとも２つの項目を第２ユーザに対応するユーザ端末へ直接に送信する。
【００８０】
一実施形態では、この実施形態におけるオフィスプラットフォームのアイデンティティ認識方法は、以下のステップを含むことができるが、これらに限定されるわけではない。
【００８１】
結び付き解除要求を受信する。ここで、結び付き解除要求は、前のユーザのアイデンティティを含む。
【００８２】
前のユーザのアイデンティティに基づいて、前のユーザに結びついている第２アカウントを見つけ、前のユーザへの第２アカウントを解除する。
【００８３】
これらのうち、前のユーザは、昇進または辞任した者など、もはや同じ役職を保持していない者を指す。
【００８４】
本発明のアイデンティティ認識方法によれば、第１アカウントは役職に対応している。したがって、役職の後任者によって設定されたログインパスワードが、役職に対応する第１アカウントに結び付けられるとき、役職の後任者は、ログインパスワードを通して第１アカウントに対応する履歴データ情報を閲覧することができ、ユーザ体験は良好である。
【００８５】
＜第３の実施形態＞
図６は、本発明のアイデンティティ認識方法の第３実施形態を示す概略プロセス図である。本発明の第３実施形態によって提供されるオフィスプラットフォームのアイデンティティ認識方法は、図１に示すように、ユーザ端末１００とサーバ３００との間で適用することができる。この実施形態では、オフィスプラットフォームのアイデンティティ認識方法は、以下のステップを含む。
【００８６】
ステップＳ６０１：ユーザ端末は、第１ユーザの登録情報を送信する。ここで、登録情報は、第１ユーザの役職標識、第１ユーザのアイデンティティ、および第１ログインパスワードを含む。
【００８７】
ステップＳ６０２：サーバは、第１ログインパスワードを、役職に対応する第１アカウントに結び付ける。
【００８８】
ステップＳ６０３：ユーザ端末は、サーバにログイン要求を送信する。ここで、ログイン要求は、第１ログインパスワードを含む。
【００８９】
ステップＳ６０４：サーバは、ログイン要求に応答し、第１ログインパスワードと結びついた第１アカウントのデータ情報をユーザ端末に送信する。
【００９０】
ステップＳ６０５：ユーザ端末は、データ情報を表示する。
【００９１】
一実施形態では、ステップＳ６０２：サーバは、第１ログインパスワードを役職に対応する第１アカウントに結び付ける。
【００９２】
役職の標識に基づいて、役職が新規役職であるかどうかを判定する。
【００９３】
役職が新規役職であった場合、役職に対応する第１アカウントを作成し、第１ログインパスワードを第１アカウントに結び付ける。
【００９４】
役職が新規役職ではない場合には、次のステップに入る。つまり、サーバは、第１ログインパスワードを直接に第１アカウントに結び付ける。
【００９５】
一実施形態では、ステップＳ６０２：サーバは、第１ログインパスワードを役職に対応する第１アカウントに結び付ける。さらに、次のステップを含む。
【００９６】
サーバは、第１ユーザのアイデンティティを役職に対応する第１アカウントに結び付ける。
【００９７】
一実施形態では、アイデンティティ認識方法は、さらに以下を含むことができるが、これらに限定されるわけではない。
【００９８】
サーバは、第１ユーザのアイデンティティに基づいて、第１ユーザが新規ユーザであるかどうかを判定する。
【００９９】
第１ユーザが新規ユーザではない場合、サーバは、第１ユーザと結び付いている元のアカウントを見つけ、役職に対応する第１アカウントを元のアカウントに対応するデータベースにリンクさせる。
【０１００】
第１ユーザのアイデンティティ、役職の標識、役職に対応する第１アカウントの標識のうち、少なくとも２つの項目を、第２ユーザに対応するユーザ端末へ直接に送信する。
【０１０１】
第１ユーザが新規ユーザであった場合、次のステップに入る。つまり、第１ユーザのアイデンティティ、役職の標識、役職に対応する第１アカウントの標識のうち、少なくとも２つの項目を第２ユーザに対応するユーザ端末へ直接に送信する。
【０１０２】
本発明のアイデンティティ認識方法によれば、第１アカウントは、役職に対応しているので、役職後任者によって設定されたログインパスワードが、役職に対応する第１アカウントに結び付けられた場合、役職の後任者は、ログインパスワードを使用して、第１アカウントに対応する履歴データ情報を閲覧することができ、ユーザ体験は良好である。
【０１０３】
＜第４の実施形態＞
図７は、本発明に関わるアイデンティティ認識装置７０の第４実施形態を示す概略構造図である。図７に示すように、アイデンティティ認識装置７０は、第１受信モジュール７０１と、第１結び付けモジュール７０２と、第２受信モジュール７０３と、第１送信モジュール７０４とを含む。第１受信モジュールは、第１ユーザの登録情報を受信するように構成されている。登録情報は、第１ユーザの役職標識と、第１ユーザのアイデンティティと、および第１ログインパスワードとを含む。第１結び付けモジュール７０２は、第１ログインパスワードを、役職に対応する第１アカウントに結び付けるように構成されている。第２受信モジュール７０３は、ユーザ端末によって送信されたログイン要求を受信するように構成されており、ログイン要求は第１ログインパスワードを含む。第１送信モジュール７０４は、ログイン要求に応答し、第１ログインパスワードと結びついた第１アカウントのデータ情報をユーザ端末に送信して、ユーザ端末にデータ情報を表示させるように構成されている。
【０１０４】
一実施形態では、第１送信モジュール７０４は、読み取り要求を受信したときに、第１アカウントの関連アカウントの共有データ情報をユーザ端末に送信するように構成されている。ここで、読み取り要求は第１アカウントの標識を含む。これらの中で、第１アカウントの関連アカウントは、例えば、システム黙認の役職及び第１アカウントに対応する役職が同じ役職タイプに属するアカウントを含み、例えば、同じ部署の一部または全部の役職の定義が同じ役職タイプに属するアカウントを含むが、本発明は、これに限定されるわけではない。第１アカウントの関連アカウントは、また、第１アカウントに関連付け要求を送信した後に応答を受信するアカウントを含み得る。
【０１０５】
ここで、ユーザ端末の第１アカウントに送信された共有データ情報は、共有データベースに格納される。例えば、第１アカウントに関連付けられたアカウントは、ＡアカウントとＢアカウントとを含む。そして、第１アカウント、Ａアカウント、およびＢアカウントのデータ情報は、共有データベースに格納される。第１アカウント、Ａアカウント、およびＢアカウントのそれぞれは、読み取り要求を送信することによって、共有データベース内の共有データ情報を取得することができる。
【０１０６】
ここで、ユーザ端末の第１アカウントに送信された共有データ情報は、システムに関連するアカウントによって編集および／または送信および／または受信されたいくつかの文書を含み、また、関連付けられたアカウントから共有アカウントまたは指定アカウントに送信されたデータ情報を含むことができるが、これらに限定されるわけではない。そして、文書のフォーマットは、エクセルなどであり得る。
【０１０７】
ここで、第１結び付けモジュール７０２は、第１判定ユニット７１２と、第１作成ユニット７２２と、第１結び付けユニット７３２とを含む。第１判定ユニット７１２は、役職の標識に基づいて、役職が新規役職であるかどうかを判定するように構成されている。第１作成ユニット７２２は、役職が新規役職であった場合、役職に対応する第１アカウントを作成するように構成されている。第１結び付けユニット７３２は、第１ログインパスワードを第１アカウントに結び付けるように構成されている。
【０１０８】
ここで、第１結び付けモジュール７０２は、第２結び付けユニット７４２をさらに含む。第２結び付けユニット７４２は、第１ユーザのアイデンティティを役職に対応する第１アカウントに結び付けるように構成されている。
【０１０９】
第１結び付けモジュール７０２は、第２結び付けユニット７４２をさらに含む。第２結び付けユニット７４２は、第１ユーザのアイデンティティを役職に対応する第１アカウントに結び付けるように構成されている。
【０１１０】
ここで、アイデンティティ認識装置７０は、第１判定モジュール７０５およびリンクモジュール７０６をさらに含む。第１判定モジュールは、第１ユーザのアイデンティティに基づいて第１ユーザが新規ユーザであるかどうかを判定するように構成されている。リンクモジュール７０６は、第１ユーザと結びついている元のアカウントを見つけ、第１ユーザが新規ユーザではない場合に、役職に対応する第１アカウントを元のアカウントに対応するデータベースにリンクするように構成されている。
【０１１１】
アイデンティティ認識装置７０は、第２送信モジュール７０７をさらに含む。第２送信モジュール７０７は、第１ユーザのアイデンティティ、役職の標識、役職に対応する第１アカウントの標識のうち、少なくとも２つの項目を第２ユーザに対応するユーザ端末へ送信するように構成されている。
【０１１２】
ここで、アイデンティティ認識装置７０は、第３受信モジュール７０８および第１取消モジュール７０９をさらに含む。第３受信モジュール７０８は、結び付き解除要求を受信するように構成されている。結び付き解除要求は、前のユーザの識別情報を含む。第１取消モジュール７０９は、前のユーザのアイデンティティに基づいて前のユーザに結びついている第２アカウントを見つけ、前のユーザと第２アカウントとの結び付きを解除するように構成されている。
【０１１３】
本発明のアイデンティティ認識システムは、アイデンティティ認識装置を含む。アイデンティティ認識装置は、第１受信モジュールと、第１結び付けモジュールと、第２受信モジュールと、第１送信モジュールとを含む。第１受信モジュールは、第１ユーザの登録情報を受け取るように構成されている。登録情報は、第１ユーザの役職標識と、第１ユーザのアイデンティティと、および第１ログインパスワードとを含む。第１結び付けモジュールは、第１ログインパスワードを役職に対応する第１アカウントに結び付けるように構成されている。第２受信モジュールは、ユーザ端末によって送信されたログイン要求を受信するように構成されており、ログイン要求は、第１ログインパスワードを含む。第１送信モジュールは、ログイン要求に応答し、第１ログインパスワードと結びついた第１アカウントのデータ情報をユーザ端末に送信して、ユーザ端末にデータ情報を表示させるように構成されている。
【０１１４】
本発明のアイデンティティ認識方法、装置、システムおよびサーバによれば、第１アカウントは役職に対応している。したがって、役職後任者によって設定されたログインパスワードが役職に対応する第１アカウントに結び付けられるとき、役職の後任者は、ログインパスワードを介して第１アカウントに対応する履歴データ情報を閲覧することができる。したがって、ユーザ体験は良好である。
【０１１５】
なお、本明細書における実施形態が漸進的に記載されていることに留意されたい。どの実施形態の説明も、他の実施形態との違いに焦点を合わせている。各実施形態の同一または類似の要素は、互いに言及し得る。装置の実施形態および対応する方法の実施形態は、重複する説明を省略するように互いに参照している。
【０１１６】
また、本明細書における「第１」および「第２」のような関係用語は、あるエンティティまたは動作を別のエンティティまたは動作と区別するためにのみ使用され、これらのエンティティまたは動作間の実際の関係または順序を必要とせず、暗示もしない。本明細書で使用される条件付き言語、特にことわらない限り、若しくは使用される文脈内で他に理解されない限り、「可能」、「であり得る」などの表現は、一般的に、特定の実施形態が、特定の特徴、要素、および／またはステップを含み、他の実施例がこれらを含まないことを意味している。したがって、このような条件付き言語は、一般的に、特徴、要素、および／またはステップが、１つまたは複数の実施形態に何らかの形で必要とされること、或いは１つまたは複数の実施形態が、著者の入力またはプロンプトを伴って若しくは伴わずに決定するためのロジックを必ずしも含むことを暗示しているわけではない。すなわち、特定の実施形態には、これらの特徴、要素、および／またはステップが含まれるかどうか、特定の実施形態において実行されるべきかどうかは、暗示されていない。ここで、「備える」、「含む」、「有する」などの表現は同義語であり、両端を問わずに包括的に使用されており、追加の要素、特徴、動作、操作などを排除するものではない。そして、「または」という用語は、包括的な意味で（排他的な意味ではない）使用されているので、例えば要素のリストをつなぐために使用される場合、「または」という用語は、リスト内における一つ、一部または全ての要素を意味している。
【０１１７】
当業者であれば、上記方法におけるステップの全部または一部をハードウェアで遂行することも、関連のハードウェアを指定するプログラムで遂行することもできる。また、プログラムをコンピュータ読み取り可能なメモリに格納することもでき、例えば、読み取り専用メモリ、ディスク、光ディスクなどの記録媒体に格納することができる。
【０１１８】
上記は、本発明の好ましい実施形態に過ぎず、本発明を限定することを意図するものではない。以上、本発明を実施形態により説明したが、本発明は上記実施の形態に限定されるわけではない。当業者は、以上に開示した方法および技術的内容を使用することによって、本発明の技術的解決策の範囲から逸脱することなく、本発明の技術的解決策に対して多くの可能な変形および修正を加えることができ、あるいは本発明の技術的解決策を同等に変更した等価な実施形態に修正することもできる。したがって、本発明の技術的解決策から逸脱することなく、本発明の技術的本質に基づいて上記の実施形態に対して行われる任意の変更、等価の変更および修正は、本発明の技術的解決策の範囲に属する。
【図１】
0006721792.tif 000002
【図２】
0006721792.tif 000003
【図３】
0006721792.tif 000004
【図４】
0006721792.tif 000005
【図５】
0006721792.tif 000006
【図６】
0006721792.tif 000007
【図７】
0006721792.tif 000008